(57)【要約】      （修正有）【課題】使用勝手が良好な蚊取り線香容器を提供する。【解決手段】蚊取り線香容器Ｋは、渦巻状の線香２を収納する底の外径の１／２以上の高さを有する上面が開口した有底筒状の市販の容器１の渦巻状の線香２を取り除いた市販の容器の内底部に置かれた不燃性マット３の上に着火された渦巻状の線香２が載置されているものである。【選択図】図１
0003190107.tif 000002
【実用新案登録請求の範囲】
【請求項１】
渦巻状の線香を収納する底の外径の１／２以上の高さを有する上面が開口した有底筒状の市販の容器の前記渦巻状の線香を取り除いた前記市販の容器の内底部に置かれた不燃性マットの上に着火された前記渦巻状の線香が載置されている
ことを特徴とする蚊取り線香容器。
【請求項２】
渦巻状の線香を収納する底の外径の１／２以上の高さを有する上面が開口した有底筒状の市販の容器の前記渦巻状の線香を取り除いた前記市販の容器の内底部に置かれた不燃性マットの上に着火された前記渦巻状の線香が載置され、
底部に開口部を有する皿状の容器を前記市販の容器の開口部に嵌着している
ことを特徴とする蚊取り線香容器。
【請求項３】
皿状の容器は、上面が開口した有底筒状の市販の容器内に収納されているものである
ことを特徴とする請求項２記載の蚊取り線香容器。
【考案の詳細な説明】
【技術分野】
【０００１】
本考案は、蚊取り線香容器に係り、特に、使用勝手が良好な蚊取り線香容器に関する。
【背景技術】
【０００２】
従来、蚊取り線香容器は、例えば、巻状の線香を収納する底の外径の１／２以下の高さを有する上面が開口した有底筒状の容器が使用されている。
【考案の概要】
【考案が解決しようとする課題】
【０００３】
ところが、上記蚊取り線香容器にあっては、渦巻状の線香のヤニが蚊取り線香容器から排出され、蚊取り線香容器外の周囲に付着しやすく、また、誤って蚊取り線香容器を倒すと、渦巻状の線香の灰を蚊取り線香容器の周囲に撒き散らす等の使用勝手が良好でないという問題点があった。
【０００４】
本考案は、上記の問題点を改善するようにした蚊取り線香容器を提供することを目的とする。
【課題を解決するための手段】
【０００５】
請求項１記載の蚊取り線香容器は、渦巻状の線香を収納する底の外径の１／２以上の高さを有する上面が開口した有底筒状の市販の容器の前記渦巻状の線香を取り除いた前記市販の容器の内底部に置かれた不燃性マットの上に着火された前記渦巻状の線香が載置されているものである。
【０００６】
また、請求項２記載の蚊取り線香容器は、渦巻状の線香を収納する底の外径の１／２以上の高さを有する上面が開口した有底筒状の市販の容器の前記渦巻状の線香を取り除いた前記市販の容器の内底部に置かれた不燃性マットの上に着火された前記渦巻状の線香が載置され、上部に開口部を有する皿状の容器を前記市販の容器の開口部に嵌着しているものである。
【０００７】
また、請求項３記載の蚊取り線香容器は、請求項２記載の蚊取り線香容器において、皿状の容器は、上面が開口した有底筒状の市販の容器内に収納されているものである。
【考案の効果】
【０００８】
請求項１記載の蚊取り線香容器によれば、渦巻状の線香を収納する底の外径の１／２以上の高さを有する上面が開口した有底筒状の市販の容器の前記渦巻状の線香を取り除いた前記市販の容器の内底部に置かれた不燃性マットの上に着火された前記渦巻状の線香が載置されているため、
渦巻状の線香を収納する市販の容器の前記渦巻状の線香を取り除いて利用することができ、しかも、渦巻状の線香のヤニが比較的高さを有する市販の容器の内壁に付きやすく、内壁にヤニが付いた分、市販の容器以外の周囲にヤニの付着量が少なくなり、更に、底の外径の１／２以上の高さを有する市販の容器であるため、誤って蚊取り線香容器を倒しても、比較的高さを有する分、渦巻状の線香の灰を蚊取り線香容器の周囲に撒き散らしにくい等の使用勝手が良好な蚊取り線香容器を得ることができる。
【０００９】
また、請求項２記載の蚊取り線香容器によれば、渦巻状の線香を収納する底の外径の１／２以上の高さを有する上面が開口した有底筒状の市販の容器の前記渦巻状の線香を取り除いた前記市販の容器の内底部に置かれた不燃性マットの上に着火された前記渦巻状の線香が載置され、上部に開口部を有する皿状の容器を前記市販の容器の開口部に嵌着しているため、
渦巻状の線香を収納する市販の容器の前記渦巻状の線香を取り除いて利用することができ、しかも、渦巻状の線香のヤニが比較的高さを有する市販の容器の内壁に付きやすく、内壁にヤニが付いた分、市販の容器以外の周囲にヤニの付着量が少なく、その上、渦巻状の線香の煙は皿状の容器の開口部から排出され、渦巻状の線香のヤニが皿状の容器の底面の外壁に付きやすく、その分、市販の容器以外の周囲に付着するヤニが少なくなり、更に、底の外径の１／２以上の高さを有する市販の容器であるため、誤って蚊取り線香容器を倒しても、比較的高さを有する分、渦巻状の線香の灰を蚊取り線香容器の周囲に撒き散らしにくい、その上、誤って線香容器を倒しても、皿状の容器を市販の容器の開口部に嵌着しているため、渦巻状の線香の灰が市販の容器から排出しにくく、渦巻状の線香の灰を市販の容器の周囲に撒き散らしにくい等の使用勝手が良好な蚊取り線香容器を得ることができる。
【００１０】
また、請求項３記載の蚊取り線香容器によれば、上述した請求項２記載の考案の効果に加え、皿状の容器は、上面が開口した有底筒状の市販の容器内に収納されているを利用するため、新たな物品を必要としない効果を奏する。
【図面の簡単な説明】
【００１１】
【図１】図１は、本考案の一実施例の蚊取り線香容器の使用状態の概略的断面図である。
【図２】図２は、図１の蚊取り線香容器を分解して示す概略的分解斜視図である。
【図３】図３は、図１の蚊取り線香容器が市販されている蚊取り線香容器の概略的断面図である。
【図４】図４は、図３の蚊取り線香容器を分解して示す概略的分解斜視図である。
【図５】図５は、図１の蚊取り線香容器と異なる他の実施例の蚊取り線香容器の使用状態の概略的断面図である。
【考案を実施するための形態】
【００１２】
本考案の一実施例の蚊取り線香容器を図面を参照して説明する。
（実施例１  図１及び図２）
図１は、本考案の蚊取り線香容器Ｋの使用状態を示すもので、１は、 底の外径の１／２以上の高さを有する上面が開口した有底筒状の市販の容器で、２は市販の容器１内に収納された渦巻状の線香で、３はロックウール等で形成された不燃性マットである。
図１の蚊取り線香容器Ｋは、市販の容器１の渦巻状の線香２を取り除いた市販の容器１の内底部に置かれた不燃性マット３上に着火された渦巻状の線香２が載置されている。
【００１３】
なお、市販の蚊取り線香容器Ｋは、図３及び図４に示すように、上面が開口した有底筒状の市販の容器１内に渦巻状の線香２、不燃性マット３、上部に開口部を有する皿状の容器４を収納し、容器１の開口部を閉じる蓋５を備えている。また、６は取っ手である。
【００１４】
従って、蚊取り線香容器Ｋによれば、渦巻状の線香２を収納する底の外径の１／２以上の高さを有する上面が開口した有底筒状の市販の容器１の渦巻状の線香２を取り除いた市販の容器１の内底部に置かれた不燃性マット３の上に着火された渦巻状の線香２が載置されているため、
渦巻状の線香２を収納する市販の容器１の渦巻状の線香２を取り除いて利用することができ、しかも、渦巻状の線香２のヤニが比較的高さを有する市販の容器１の内壁１ａに付きやすく、内壁１ａにヤニが付いた分、市販の容器１以外の周囲にヤニの付着量が少なくなり、更に、底の外径の１／２以上の高さを有する市販の容器１であるため、誤って蚊取り線香容器Ｋを倒しても、比較的高さを有する分、渦巻状の線香２の灰を蚊取り線香容器Ｋの周囲に撒き散らしにくい等の効果を奏する。
【００１５】
（実施例２  図５）
次に示す実施例は、図５に示すように、上部に開口部４ａを有する皿状の容器４を市販の容器１の開口部に嵌着したものである。
図５記載の蚊取り線香容器Ｋによれば、渦巻状の線香２を収納する底の外径の１／２以上の高さを有する上面が開口した有底筒状の市販の容器１の渦巻状の線香２を取り除いた市販の容器１の内底部に置かれた不燃性マット３の上に着火された渦巻状の線香２が載置され、底部に開口部４ａを有する皿状の容器４を市販の容器１の開口部に嵌着しているため、渦巻状の線香２を収納する市販の容器１の渦巻状の線香２を取り除いて利用することができ、しかも、渦巻状の線香２のヤニが比較的高さを有する市販の容器１の内壁１ａに付きやすく、内壁１ａにヤニが付いた分、市販の容器１以外の周囲にヤニの付着量が少なく、その上、渦巻状の線香２の煙は皿状の容器４の開口部４ａから排出され、渦巻状の線香２のヤニが皿状の容器２の底面の外壁に付きやすく、その分、市販の容器１以外の周囲に付着するヤニが少なくなり、更に、底の外径の１／２以上の高さを有する市販の容器１であるため、誤って蚊取り線香容器Ｋを倒しても、比較的高さを有する分、渦巻状の線香２の灰を蚊取り線香容器Ｋの周囲に撒き散らしにくい、その上、誤って蚊取り線香容器Ｋを倒しても、皿状の容器４を市販の容器１の開口部に嵌着しているため、渦巻状の線香２の灰が市販の容器１から排出しにくく、渦巻状の線香２の灰を市販の容器１の周囲に撒き散らしにくい等効果を奏する。
なお、特に、本実施例のように、底部が開口した有底筒状の市販の容器１内に収納されている皿状の容器４を利用するため、新たな物品を必要としない効果を奏する。
【符号の説明】
【００１６】
Ｋ     蚊取り線香容器
１     市販の容器
２     渦巻状の線香
３     不燃性マット
【図１】
0003190107.tif 000003
【図２】
0003190107.tif 000004
【図３】
0003190107.tif 000005
【図４】
0003190107.tif 000006
【図５】
0003190107.tif 000007